(57)【要約】【課題】光出射部と入射面との距離を変更して高精度の光量調整を可能とする光量検知装置を提供する。【解決手段】赤色光源によるレーザ光を導光する光量検出用光ファイバ２６Ｒの出射端３３は保持部材５１に取り付けられ、保持部材５１の凹部５１ａ内に配置された回転体５２は、そのネジ孔が、基板４１に立設された長ネジ５６に螺合して、その長手軸の方向に移動自在に取り付けられ、回転体５２を回転することにより回転体５２と共に、保持部材を長手軸に沿って移動し、出射端３３と対向するフォトダイオード２７Ｒとの距離Ｌを可変して入射面３４に入射するレーザ光の光量を調整可能にしている。【選択図】図４
2017056104.tif 000002
【特許請求の範囲】
【請求項１】
光源から発生した光を出射する光出射部と、
前記光出射部から出射された光が入射される入射面と、
前記入射面に入射された光の強度に応じた信号を出力する光検出部と、
前記光出射部または前記入射面を保持し、螺旋状の溝を有する孔を有する保持部と、
外表面に螺旋状の溝が設けられており、かつ前記保持部が有する孔に嵌合し、かつ前記保持部を前記外表面に設けられた螺旋状の溝に沿って移動させることで、前記光出射部から出力される前記信号の強度を変更可能とするように前記光出射部と前記入射面間の距離を変更可能とする螺子部と、
を有することを特徴とする光量検知装置。
【請求項２】
前記保持部は、前記螺旋状の溝を有する前記孔の軸に対して垂直な方向に回転可能な回転体を有し、
前記回転体は、回転することで前記保持部を前記螺子部の外表面に設けられた前記螺旋状の溝に沿って移動させることを特徴とする請求項1に記載の光量検知装置。
【請求項３】
さらに、前記光出射部および前記入射面を内包し、前記光を外部に出射しない構造または材質からなる遮光部を有することを特徴とする請求項１に記載の光量検知装置。
【請求項４】
前記遮光部は、前記回転体の一部を、前記遮光部外に露出させる開口を有することを特徴とする請求項３に記載の光量検知装置。
【請求項５】
前記螺子部の一端は、前記螺子部の外径程度の開口を通って前記遮光部の外部に露出し、前記一端には前記螺子部を回転操作する摘まみが設けられることを特徴とする請求項３に記載の光量検知装置。
【発明の詳細な説明】
【技術分野】
【０００１】
本発明は、光源から出射される光の光量を検知する光量検知装置に関する。
【背景技術】
【０００２】
被検体の体腔内を観察するための内視鏡などの観察装置において、体腔内を照明するための照明光の光量の計測方法として、照明光の一部をファイバに導波し、導波した光を光検出器に照射する方法がある。上記方法において、精度よく光量調整を行うにはファイバの光出射端と光検出器との距離を調整する必要があるが、従来行われているシムなどのスペーサーを用いた距離調整ではシム幅（シムの厚さ）が決まっているため緻密な調整ができなかったり、調整毎にシムを取り外す必要があるため手間がかかり、操作性が低い。
【０００３】
また、特開２０１３−１３０４２２号公報は、レーザ光源の光をビーム整形レンズによりビーム形状を整形し、ミラーアクチュエータを介して目標領域に走査し、反射光を受光レンズにより集光し、光検出器で受光する装置を開示している。この公報は、主に図１９及びその説明箇所においてレーザ光源を保持するレーザホルダと、このレーザホルダに嵌合し、ビーム整形レンズを保持するレンズホルダとを固定する押さえネジを緩めることにより、レンズホルダがネジ溝に沿って回動可能になり、レンズホルダを回動することにより、ビーム整形レンズが前後方向に移動し、レーザ光源との距離を調整できるようにしている。
【先行技術文献】
【特許文献】
【０００４】
【特許文献１】特開２０１３−１３０４２２号公報
【発明の概要】
【発明が解決しようとする課題】
【０００５】
しかしながら、上記公報の従来例では、光源の光を出射する光出射部と、光出射部から出射された光が入射される入射面との距離を変更し、光量を精度良く調整するための螺子部を開示していない。 
本発明は上述した点に鑑みてなされたもので、光出射部と入射面との距離を変更して高精度の光量調整を可能とする光量検知装置を提供することを目的とする。
【課題を解決するための手段】
【０００６】
本発明の一態様の光量検知装置は、光源から発生した光を出射する光出射部と、前記光出射部から出射された光が入射される入射面と、前記入射面に入射された光の強度に応じた信号を出力する光検出部と、前記光出射部または前記入射面を保持し、螺旋状の溝を有する孔を有する保持部と、外表面に螺旋状の溝が設けられており、かつ前記保持部が有する孔に嵌合し、かつ前記保持部を前記外表面に設けられた螺旋状の溝に沿って移動させることで、前記光出射部から出力される前記信号の強度を変更可能とするように前記光出射部と前記入射面間の距離を変更可能とする螺子部と、を有する。
【発明の効果】
【０００７】
本発明によれば、光出射部と入射面との距離を変更して高精度の光量調整を行うことができる。
【図面の簡単な説明】
【０００８】
【図１】図１は本発明の第１の実施形態を備えた光走査型内視鏡装置の全体構成を示す図。
【図２】図２は第１の実施形態の光検知装置を備えた光源部の構成を示す図。
【図３】図３は第１の実施形態の光検知装置の外観を示す斜視図。
【図４】図４は図３におけるＡ−Ａ線断面による１つの光検知部の構成を示す断面図。
【図５】図５は図４における光出射部を構成するコネクタを示す断面図。
【図６】図６は第１の実施形態の第１変形例の光検知装置の外観を示す斜視図。
【図７】図７は図６におけるＢ−Ｂ線断面による１つの光検知部の構成を示す断面図。
【図８】図８は第１の実施形態の第２変形例の光検知装置の外観を示す斜視図。
【図９】図９は図８におけるＣ−Ｃ線断面による１つの光検知部の構成を示す断面図。
【図１０】図１０は図９における一部を変形した第３変形例の光検知部の構成を示す断面図。
【発明を実施するための形態】
【０００９】
以下、図面を参照して本発明の実施形態を説明する。 
（第１の実施形態）
図１に示すように光走査型内視鏡装置１は、照明光を走査する光走査型内視鏡２と、
照明光を発生する光源部３と、照明光が照射される被検体４からの戻り光を信号光として検出する信号光検出部５と、照明光を走査する走査部６を駆動する駆動信号を生成する駆動信号生成部７と、光源部３、信号光検出部５、駆動信号生成部７を制御する制御部８と、２次元画像を表示する表示部９とを有する。 
光走査型内視鏡２は、光源部３から入射される照明光としてのレーザ光が基端に入射される照明用光ファイバ１１を備え、この照明用光ファイバ１１は基端に入射されたレーザ光を先端に導光し、先端から図示しないレンズを介して導光したレーザ光を被検体４側に照射する。 
後述するように、光源部３は、赤色、緑色、青色のレーザ光をそれぞれ発生する赤色光源、緑色光源、青色光源を有し、制御部８は、赤色光源、緑色光源、青色光源が発光するタイミングを、走査部６による走査に同期して制御する。このため、赤色光源、緑色光源、青色光源は、以下に説明する渦巻き形状の軌跡に沿って所定のタイミングでパルス的に発光する。
【００１０】
また、光走査型内視鏡２の先端部には、照明用光ファイバ１１の先端が配置されると共に、照明用光ファイバ１１の先端付近に走査部６が設けてある。 
走査部６は、照明用光ファイバ１１の軸に直交する２つの方向に照明用光ファイバ１１の先端を振動させる図示しない圧電素子を有し、駆動信号生成部７からの駆動信号が印加される圧電素子は、駆動信号の電圧値に応じて照明用光ファイバ１１の先端を振動させる。走査部６は、２つの方向に振動させる駆動信号の印加により、照明用光ファイバ１１の先端を、例えば渦巻き形状の軌跡を描くように振動させ、照明用光ファイバ１１の先端から出射される照明光としてのレーザ光は、被検体４の面を渦巻き形状の軌跡を描くように走査する。 
なお、制御部８は、予め上記渦巻き形状の軌跡に沿ってレーザ光が走査する駆動信号を発生するように駆動信号生成部７を制御する。 
また、光走査型内視鏡２は、被検体４に照射されたレーザ光の反射光を信号光として受光する受光用光ファイバ１２を備え、この受光用光ファイバ１２の先端面には被検体４からの反射光が入射される。先端面に入射された信号光は受光用光ファイバ１２により基端に導光され、受光用光ファイバ１２の基端に導光された信号光は、信号光検出部５に入射される。
【００１１】
信号光検出部５は、入射された信号光を受光するフォトダイオード（ＰＤと略記）等の光電変換機能を有する光検出器を備え、ＰＤ等の光検出器は、入射された信号光を、その信号光の強度に対応したレベルの電気信号に変換して制御部８に出力する。 
制御部８は、レーザ光を順次パルス発光させた各タイミングにおける渦巻き形状の軌跡上の各位置の情報を、例えば制御部８内のメモリ８ａに予め格納している。制御部８は、信号光検出部５から順次入力される各電気信号を、（各電気信号に対応する）各位置の情報に対応付けてメモリ８ｂに格納する。このため、各位置における各電気信号は、レーザ光が照射された各位置の被検体４における各反射光の強度を表す画素信号となる。 
制御部８は、各位置の電気信号をラスター方式の画像信号に変換してモニタ等により構成される表示部９に出力する。表示部９は、光源部３により発生したレーザ光における被検体４により反射された反射光の検出信号に基づいて生成した前記画像信号の画像を内視鏡画像としてカラー表示する。
【００１２】
また、光源部３においては被検体４に照射されるレーザ光を適切な光量（又は強度）に設定するために、予め光源部３が発生するレーザ光を適切な光量に調整することが行われる。 
図２は図１の光源部３の構成を示す。 
光源部３は、上記のように、赤色、緑色、青色のレーザ光をそれぞれ発生する赤色光源２１Ｒ、緑色光源２１Ｇ、青色光源２１Ｂを有し、赤色、緑色、青色の各レーザ光は、これら３つのレーザ光を合波する合波部２２の入射端２３Ｒ，２３Ｇ，２３Ｂに入射され、入射された３つのレーザ光は、合波部２２の内部で合波されて、合波用光ファイバ２４の先端から合波されたレーザ光が出射される。この合波用光ファイバ２４の先端には、照明用光ファイバ１１の基端が接続される照明用光ファイバ接続部２５が設けられている。 
この照明用光ファイバ接続部２５において合波用光ファイバ２４の先端から出射されるレーザ光は照明用光ファイバ１１の基端に入射され、照明用光ファイバ１１は入射されたレーザ光を導光し、その先端から出射する。
【００１３】
また、合波部２２は、図２において２点鎖線で示すように３つのレーザ光を合波する前に３つの各レーザ光の一部を光量検出用光ファイバ（又は光量調整用光ファイバ）２６Ｒ、２６Ｇ、２６Ｂに導光し、光量検出用光ファイバ２６Ｒ、２６Ｇ、２６Ｂにより導光された赤色、緑色、青色の各レーザ光は、第１の実施形態の光量検知装置３１に入射される。 
なお、図２に示す例では、合波部２２は、赤色光源２１Ｒ、緑色光源２１Ｇ、青色光源２１Ｂによりそれぞれ発生した赤色、緑色、青色の各レーザ光の光量を調整するための光量検出用光ファイバ２６Ｒ、２６Ｇ、２６Ｂを設けているが、このような構成の場合に限定されるものでない。 
例えば赤色光源２１Ｒ、緑色光源２１Ｇ、青色光源２１Ｂと、入射端２３Ｒ，２３Ｇ，２３Ｂとの間にそれぞれ透過光と反射光とに分けるビームスプリッタを配置し、ビームスプリッタを透過した光を合波部２２の入射端２３Ｒ，２３Ｇ，２３Ｂに入射されるようにし、ビームスプリッタで反射された光を光量検出用光ファイバ２６Ｒ、２６Ｇ、２６Ｂに入射せるように光量を分割するようにしても良い。
【００１４】
前者及び後者のいずれの場合においても、光量検出用光ファイバ２６Ｒ、２６Ｇ、２６Ｂにより導光された光量を検出することにより、赤色光源２１Ｒ、緑色光源２１Ｇ、青色光源２１Ｂによりそれぞれ発生した赤色、緑色、青色の各レーザ光の光量（又は強度）を調整することができる。 
なお、光量検出用光ファイバ２６Ｒ、２６Ｇ、２６Ｂは、遮光性の外皮により被覆されており、端面以外の部分においてその外部に導光しているレーザ光が外皮の外側に漏れないようになっている。 
光量検知装置３１は、３つのＰＤ２７Ｒ，２７Ｇ，２７Ｂを備え、３つのＰＤ２７Ｒ，２７Ｇ，２７Ｂによりそれぞれ光電変換した赤色、緑色、青色の各検出信号Ｓｒ，Ｓｇ，Ｓｂを光源制御部３２に出力する。 
光源制御部３２は、制御部８の制御下で、赤色、緑色、青色の各検出信号Ｓｒ，Ｓｇ，Ｓｂに応じて、赤色光源２１Ｒ、緑色光源２１Ｇ、青色光源２１Ｂが発生するレーザ光の光量又は強度を調整する調整信号を赤色光源２１Ｒ、緑色光源２１Ｇ、青色光源２１Ｂに出力する。
【００１５】
従って、赤色光源２１Ｒ、緑色光源２１Ｇ、青色光源２１Ｂは、光量検知装置３１のＰＤ２７Ｒ，２７Ｇ，２７Ｂにより検出された検出信号Ｓｒ，Ｓｇ，Ｓｂに応じた光量又は強度で、赤色、緑色、青色の各レーザ光を発生する。 
本実施形態においては、以下に説明するように光量検知装置３１は、赤色光源２１Ｒ、緑色光源２１Ｇ、青色光源２１Ｂが発生するレーザ光の一部を導光する光量検出用光ファイバ２６Ｒ、２６Ｇ、２６Ｂからレーザ光を拡開して出射し、距離に応じてＰＤ２７Ｒ，２７Ｇ，２７Ｂの各入射面（又は受光面）に入射される光の強度を調整可能な構造を有する。 
図３は光量検知装置３１の外観を示す。光量検知装置３１は、基板４１上における３箇所となる所定に位置にそれぞれ取り付けられた各ＰＤ２７Ｒ，２７Ｇ，２７Ｂ（図３では図示しない）を、遮光性の部材で形成した箱形状のカバー４２で覆うように取り付けている。図３に示すようにカバー４２は、長手方向の長さを３等分する遮光性の仕切り板４３により３つの収納室４４Ｒ，４４Ｇ，４４Ｂに仕切られ、３つの収納室４４Ｒ，４４Ｇ，４４Ｂ内にそれぞれ光量検知部３１Ｒ，３１Ｇ，３１Ｂが設けてある。
【００１６】
３つの光量検知部３１Ｒ，３１Ｇ，３１Ｂは、光量検出用光ファイバ２６Ｒ、２６Ｇ、２６ＢとＰＤ２７Ｒ，２７Ｇ，２７Ｂの名称が異なるのみで、各構造は同じである。 
図４は、図３におけるＡ−Ａ線の断面図となる光量検知部３１Ｒを示す。図４において、光量検出用光ファイバ２６ＲとＰＤ２７Ｒを、例えば２６Ｇと２７Ｇに置換すると光量検知部３１Ｇとなり、光量検出用光ファイバ２６ＲとＰＤ２７Ｒを、２６Ｂと２７Ｂに置換すると光量検知部３１Ｂとなる。 
図４に示す光量検知部３１Ｒは、収納室４４Ｒ内に配置され、断面がＴ字形状で、光量検出用光ファイバ２６Ｒの出射端３３を保持する保持部材５１と、保持部材５１の凹部５１ａ内に収納した円板形状の回転体５２とを有する。保持部材５１と回転体５２とは、光を出射する光出射部を形成する光量検出用光ファイバ２６Ｒの出射端３３を保持する保持部を形成する。 
上記保持部材５１には、図５に示すように光量検出用光ファイバ２６Ｒの出射端３３が固定された第１のコネクタ５３が圧入などで固定される第２のコネクタ５４がネジ５５により固定されている。なお、第１のコネクタ５３と第２のコネクタ５４とを一体化したコネクタにしても良い。
【００１７】
また、光量検知部３１Ｒは、保持部材５１を移動可能に保持する螺子部を形成する長ネジ５６を有する。 
長ネジ５６は、収納室４４Ｒの底面を形成する基板４１に下端が固定され、下端より上方部分は基板４１の板面を垂直に貫通して、収納室４４Ｒ内に突出している。この長ネジ５６は、長手方向の外表面に螺旋状の溝５６ａが設けられている。また、保持部材５１におけるＴ字形状板５１ｃが設けられた一方の端部に設けた略円板形状の凹部５１ａに収納した回転体５２には、前記螺旋状の溝５６ａが嵌合（又は螺合）する螺旋状の溝５２ａを有するネジ孔が設けられている。また、回転体５２の螺旋状の溝５２ａの上下方向に隣接する保持部材５１には、長ネジ５６を（螺合しないで）貫通して通すことができる孔５１ｂが設けられている。 
換言すると、保持部材５１と回転体５２とから構成される保持部は、保持部材５１の凹部５１ａに、回転自在に配置した回転体５２における螺旋状の溝５２ａと、該溝５２ａに連通する孔５１ｂとを有し、前記螺旋状の溝５２ａに長ネジ５６の螺旋状の溝５６ａが螺合する。そして、回転体５２を回転する操作を行うことにより、回転体５２の螺旋状の溝５２ａが長ネジ５６の螺旋状の溝５６ａに螺合した状態で、回転と共に長ネジ５６の長手軸に沿って回転体５２が移動する。
【００１８】
この場合、回転体５２の移動と共に、保持部材５１も長ネジ５６の長手軸に沿って移動する。 
また、保持部材５１が長ネジ５６の長手軸に沿って移動する場合、基板４１に取り付けたＰＤ２７Ｒに、光量検出用光ファイバ２６Ｒの出射端３３が対向する状態で光量検出用光ファイバ２６Ｒの出射端３３からＰＤ２７Ｒの入射面３４に至る距離Ｌを可変できるようにしている。なお、ＰＤ２７Ｒの入射面３４は、光量検出用光ファイバ２６Ｒの出射端３３から出射されたレーザ光が入射される面となる。 
図４に示すように光量検出用光ファイバ２６Ｒの出射端は、所定の角度θで光量検出用のレーザ光を拡開して出射する。従って、図４に示す距離Ｌが小さくなる程、ＰＤ２７Ｒの入射面３４に入射する光量が増大し、ＰＤ２７Ｒは、入射面３４に入射した光量に応じた信号レベル（又は強度）の検出信号Ｓｒを光源制御部３２に出力する。 
図３、図４に示すようにカバー４２には、回転体５２の一部がカバー４２の外部に露呈するように開口部５７が設けてある。また、図３に示すように回転体５２の外周面には、ローレット又は凹凸部が設けてあり、回転の操作を行い易くしている。
【００１９】
なお、開口部５７の開口部５７における長ネジ５６の長手軸と平行な開口幅が回転体５２の回転操作による距離Ｌの可変範囲となる。換言すると、距離Ｌの可変に基づく赤色光源２１Ｒ、緑色光源２１Ｇ、青色光源２１Ｂがそれぞれ発生するレーザ光の光量の可変範囲となる。 
図４に示すように保持部材５１に設けたＴ字形状板５１ｃは、カバー４２の内壁と小さな隙間を介して対向し、両部材の間に遮光機能が高い遮光リング５８を配置し、収納室４４Ｒ内のレーザ光が開口部５７から外部に漏れないようにしている。 
また、カバー４２におけるＴ字形状板５１ｃに対向する位置に、固定用のネジ５９が設けてあり、回転体５２の回転により、保持部材５１を適切な距離の位置（つまり赤色光源２１Ｒが発生するレーザ光の光量を適切な光量値）に設定した後においては、この固定用のネジ５９をＴ字形状板５１ｃ側に突出するように操作し、回転体５２を回転操作しても保持部材５１が移動しないで固定できるようにしている。 
また、図４に示すように光量検出用光ファイバ２６Ｒをカバー４２の外部からその内部に通すための孔には、遮光機能が高い遮光部材６０を用いて、カバー４２の外部にレーザ光が漏れるのを防止している。
【００２０】
なお、保持部材５１の凹部５１ａ内に配置した回転体５２の螺旋状の溝５２ａと、この螺旋状の溝５２ａに隣接して、該螺旋状の溝５２ａと連通する保持部材５１の孔５１ｂとを有する孔部を、保持部が有する孔と定義しても良い。 
本実施形態の光量検知装置３１は、光源から発生した光を出射する光出射部を形成する光量検出用光ファイバ２６Ｒ，２６Ｇ，２６Ｂの出射端３３と、前記光出射部から出射された光が入射される入射面３４と、前記入射面３４に入射された光の強度に応じた信号としての検出信号Ｓｒ，Ｓｇ，Ｓｂを出力する光検出部を形成するフォトダイオード（ＰＤ）２７Ｒ，２７Ｇ，２７Ｂと、前記光出射部を保持し、螺旋状の溝５２ａを有する孔５１ｂを有する保持部を形成する保持部材５１及び回転体５２と、外表面に螺旋状の溝５６ａが設けられており、かつ前記保持部が有する孔５１ｂに嵌合し、かつ前記保持部を前記外表面に設けられた螺旋状の溝５６ａに沿って移動させることで、前記光出射部から出力される前記信号の強度を変更可能とするように前記光出射部と前記入射面３４間の距離を変更可能とする螺子部を形成する長ネジ５６と、を有することを特徴とする。
【００２１】
なお、前記光出射部の代わりに入射面３４を保持し、螺旋状の溝５２ａを有する孔５１ｂを有する保持部に関しては後述する第２変形例（図９）等において説明する。 
次に本実施形態の動作を説明する。 
図１に示すように光源部３において発生したレーザ光を照明用光ファイバ１１により導光し、被検体４に対して照射し、その反射光を受光用光ファイバ１２により検出し、信号光検出部５を経て制御部８内において画像信号を生成し、表示部９において画像を適切に表示するためには、光源部３において発生するレーザ光を予め適切な光量に設定する必要がある。 
本実施形態においては、図４に示すように赤色光源２１Ｒのレーザ光の一部を光量検出用光ファイバ２６Ｒにより導光し、その出射端３３を、（基板４１に固定された）ＰＤ２７Ｒの入射面３４に対向する位置となる保持部材５１に取り付けている。そして、円板形状の回転体５２を回転する操作を行うことにより、回転体５２と共に、保持部材５１を長ネジ５６の長手軸に沿って移動させ、出射端３３と入射面３４との間の距離Ｌを可変できる。
【００２２】
回転体５２の回転操作により距離Ｌを連続的に、かつ微細に変化させることができるので、出射端３３から拡開して出射されるレーザ光が入射される入射面３４に入射する光量（又は強度）を所望とする目標値に簡単に設定することができる。 
また、入射面３４に入射する光量（又は強度）に対応した検出信号Ｓｒの信号レベルに応じて、光源制御部３２は、赤色光源２１Ｒが発生するレーザ光の光量又は強度を調整する。 
従って、回転体５２の回転操作により赤色光源２１Ｒが発生するレーザ光の光量又は強度を高精度に調整することができる。赤色光源２１Ｒの場合において説明したが、緑色光源２１Ｇ、青色光源２１Ｂにおいても同様に回転体５２の回転操作により緑色光源２１Ｇ、青色光源２１Ｂがそれぞれ発生するレーザ光の光量又は強度を高精度に目標値に調整することができる。 
このように本実施形態によれば、光出射部と入射面３４との距離Ｌを変更して高精度の光量調整を行うことができる。 
また、光出射部を保持する保持部材５１と入射面３４等をそれぞれ収納室４４Ｒ，４４Ｇ，４４Ｂ内に配置し、光出射部から出射されるレーザ光を収納室４４Ｒ，４４Ｇ，４４Ｂから殆ど漏れないように遮光部を設けているので、光源部３が発生するレーザ光の光量調整の操作を円滑に行うことができる。 
また、赤色光源２１Ｒ、緑色光源２１Ｇ、青色光源２１Ｂがそれぞれ発生するレーザ光の各光量を目標値に高精度に設定することができる。
【００２３】
次に本実施形態の第１変形例を説明する。図６は、第１変形例の光量検知装置３１の外観を示し、図７は図６におけるＢ−Ｂ線断面による光量検知部３１Ｇを示す。 
第１の実施形態においては、保持部材５１の凹部５１ａ内に回転自在に配置した回転体５２の回転操作により、回転体５２と共に保持部材５１を長ネジ５６の長手方向に設けた螺旋状の溝５６ａに沿って移動させる構造にしていた。 
これに対して、本変形例においては第１の実施形態における保持部材５１に、凹部５１ａを設けないで、かつ回転体５２を配置しない構造にしている。 
また、本変形例においては、螺子部を形成する長ネジ５６の下端を基板４１に回転自在に取り付け、長ネジ５６の上端をカバー４２の上面（天井）を貫通させて外部に突出させ、突出した上端に回転操作用の摘まみ６１を設けている。 
図７に示すように光量検出用光ファイバ２６Ｇの出射端３３を保持する保持部材５１は、（図４の保持部材５１におけるＴ字形状板５１ｃを有しない）長方形の板形状であり、長手方向の一端は、対向するカバー４２の内壁面に設けたガイドレール６２の溝内に嵌合するように収納され、保持部材５１の一端は、長ネジ５６の長手方向（図７の場合、紙面内で上下方向）に移動自在に嵌合している。
【００２４】
保持部材５１には、板面に垂直な方向に、長ネジ５６の外周面の螺旋状の溝５６ａに螺合する螺旋状の溝６３を有する孔（つまりネジ孔）が設けられており、この螺旋状の溝６３の孔に長ネジ５６（の外周面の螺旋状の溝５６ａ）が螺合している。 
そして、上記の摘まみ６１を回転することにより、保持部材５１を長ネジ５６の長手軸に沿って移動させ、基板４１に固定されたＰＤ２７Ｇと保持部材５１に保持された光量検出用光ファイバ２６Ｇの出射端３３との距離Ｌを調整できるようにしている。 
また、長ネジ５６を収納室４４Ｇ内からその外部に突出させる開口には遮光リング６４が配置され、光量検出用光ファイバ２６Ｇの出射端３３から出射されたレーザ光が収納室４４Ｇ内からその外部に漏れるのを防止している。その他の構成は、第１の実施形態と同様の構成である。 
なお、図７においては、光量検知部３１Ｇの構造を示しているが、他の光量検知部３１Ｒ，３１Ｂの構造も、光量検知部３１Ｇの構造と同じである。例えば、図７において、収納室４４Ｇ内の光量検出用光ファイバ２６ＧとＰＤ２７Ｇを、例えば２６Ｒと２７Ｒに置換すると、収納室４４Ｒ内の光量検知部３１Ｒとなり、光量検出用光ファイバ２６ＧとＰＤ２７Ｇを、２６Ｂと２７Ｂに置換すると、収納室４４Ｂ内の光量検知部３１Ｂとなる。
【００２５】
本変形例においても、図７に示す摘まみ６１を回転することにより、光量検出用光ファイバ２６Ｇの出射端３３が取り付けられた保持部材５１を長ネジ５６の螺旋状の溝５６ａに沿って移動させることができ、入射面３４に入射するレーザ光の光量を高精度に調整することができる、その結果、緑色光源２１Ｇが発生するレーザ光の光量を高精度に調整することができる。また、他の赤色光源２１Ｒ、青色光源２１Ｂがそれぞれ発生するレーザ光の光量も高精度に調整することができる。 
次に第１の実施形態の第２変形例を説明する。第１の実施形態及びその第１変形例においては、回転体５２又は摘まみ６１の回転操作により（保持部を形成する）保持部材５１に保持された（光出射部を形成する）出射端３３を、（螺子部を形成する）長ネジ５６の螺旋状の溝５６ａに沿って移動させる構造にしていた。 
これに対して、本変形例においては、保持部を形成する移動基板に入射面３４を有するＰＤ２７Ｒ，２７Ｇ，２７Ｂを取り付け、摘まみ６１の回転操作により入射面３４側を移動する構造にしている。
【００２６】
図８は、本変形例の光量検知装置３１の外観を示し、図９は、図８のＣ−Ｃ線断面の光量検知部３１Ｂを示す。 
図８に示すようにカバー４２の上面には、（図６における光量検出用光ファイバ２６Ｒ，２６Ｇ，２６Ｂを通す各孔の位置に）第２のコネクタ５４がネジ５５（図８では省略）により固定され、第２のコネクタ５４に第１のコネクタ５３が圧入等により取り付けられる。図９は、より詳細に示す。カバー４２の上面に設けた開口７０に第２のコネクタ５４がネジ５５で固定され、第２のコネクタ５４に第１のコネクタ５３が圧入等により取り付けられる。 
図９に示すようにＰＤ２７Ｂを固定した保持部を形成する移動基板７１には螺旋状の溝７１ａを設けた孔（つまりネジ孔）が設けられ、この螺旋状の溝７１ａには、長ネジ５６の外周面に設けた溝５６ａに螺合するように取り付けられている。また、移動基板７１の端部は、ガイドレール６２の溝内に嵌合するように収納されている。
【００２７】
なお、光量検出用光ファイバ２６Ｂの出射端３３の中心位置にＰＤ２７Ｂの入射面３４の中心位置が対向するようにＰＤ２７Ｂが移動基板７１に、又は光量検出用光ファイバ２６Ｂの出射端３３がカバー４２に取り付けられている。 
第１変形例においては摘まみ６１の回転操作により、光量検出用光ファイバ２６Ｒ，２６Ｇ，２６Ｂの出射端３３を長ネジ５６の長手軸の方向に沿って移動させ、出射端３３に対向し、固定されている入射面３４との間の距離Ｌを可変していたのに対して、本変形においては摘まみ６１の回転操作により、入射面３４側を移動させ、固定されている出射端３３との間の距離Ｌを可変する構造にしている。 
従って、本変形例の効果は、第１変形例と殆ど同じ効果となる。 
なお、本変形例においては螺子部を形成する長ネジ５６を１つ用いているが、図１０に示すように２つの長ネジ５６を用いるようにしても良い。
【００２８】
図１０に示す第３変形例においては、図９における光量検出用光ファイバ２６Ｂの出射端３３の中心位置と入射面３４の中心位置とを結ぶ直線に関して（左側の）螺旋状の溝６３の位置と左右対称となる位置に第２の螺旋状の溝６３′を移動基板７１に設けている。 
また、この螺旋状の溝６３′には、第２の長ネジ５６′の外周面に設けた螺旋状の溝５６ｂが螺合し、この長ネジ５６′の上端側は、長ネジ５６の場合と同様にその下端が基板４１に回転自在に取り付け螺絵、その上端はカバー４２の外部に突出している。溝６３′は溝６３と同じ形状で形成され、また長ネジ５６′は長ネジ５６と同じ形状で形成されている。また、長ネジ５６を収納室４４ＢＢ内からその外部に突出させる開口には遮光リング６４が配置されている。 
本変形例においては、長ネジ５６，５６′の上端には、それぞれギア７２ａ，７２ｂが取り付けられ、これらのギア７２ａ，７２ｂは、摘まみ７３の回転軸に取り付けたギア７４と噛合している。なお、例えば、ギア７４の両面には、ギア７４がギア７２ａ，７２ｂとの噛合状態が外れないように保持するリング部材７５ａ，７５ｂが設けてある。また、ギア７２ａはギア７２ｂと同じ形状である。
【００２９】
なお、本変形例においては、ガイドレール６２を設けていない。その他は、第２変形例と同様の構成である。 
本変形例は、第２変形例とほぼ同様の効果を有する。なお、上述した実施形態又は変形例を部分的に組み合わせて異なる実施形態を形成しても良い。 
また、上述した第１の実施形態、又は変形例においては、ＰＤ２７Ｒ，２７Ｇ，２７Ｂの受光面を入射面３４としているが、受光面の位置に光検出用の光ファイバの一方の端面を配置して入射面とし、導光した他方の端面にＰＤ２７Ｒ，２７Ｇ，２７Ｂを配置して、光ファイバの一方の端面に入射されたレーザ光を他方の端面に配置したＰＤ２７Ｒ，２７Ｇ，２７Ｂにより光電変換して、光ファイバの一方の端面に入射されたレーザ光の光量を検出するような構成にしても良い。 
また、保持部に保持される出射端３３にレンズを配置し、距離Ｌの変化に応じて出射端３３からレンズを経て入射面３４に入射する光量が変化するような構成にしても良い。 
また、上述した変形例を含む実施形態を部分的に組み合わせて異なる実施形態を構成しても良い。
【符号の説明】
【００３０】
１…光走査型内視鏡装置、２…光走査型内視鏡、３…光源部、４…被検体、５…信号光検出部、６…走査部、７…駆動信号生成部、８…制御部、９…表示部、１１…照明用光ファイバ、１２…受光用光ファイバ、２１Ｒ…赤色光源、２１Ｇ…緑色光源、２１Ｂ…青色古諺、２２…合波部、２３Ｒ，２３Ｇ，２３Ｂ…入射端、２４…合波用光ファイバ、２５…照明用光ファイバ接続部、２６Ｒ，２６Ｇ，２６Ｂ…光量検出用光ファイバ、３１…光量検知装置、３２…光源制御部、４１…基板、４２…筐体、４３…仕切り板、４４Ｒ，４４Ｇ，４４Ｂ…収納室、５１…保持部材、５１ａ…凹部、５１ｂ…孔、５２…回転体、５２ａ…溝、５３…第１のコネクタ、５４…第２のコネクタ、５６…長ネジ、５６ａ…溝、５８…遮光リング、６０…遮光部材、６１…摘まみ、６２…ガイドレール、６３…溝、７１…移動基板、７２ａ，７２ｂ…ギア、７３…摘まみ、７４…ギア、
【図１】
2017056104.tif 000003
【図２】
2017056104.tif 000004
【図３】
2017056104.tif 000005
【図４】
2017056104.tif 000006
【図５】
2017056104.tif 000007
【図６】
2017056104.tif 000008
【図７】
2017056104.tif 000009
【図８】
2017056104.tif 000010
【図９】
2017056104.tif 000011
【図１０】
2017056104.tif 000012